(57)【要約】【課題】放射線治療中および治療後に乳房や腋窩のはれ等を軽減するため、簡便に乳房や腋窩を冷却する手段を提供すること。【解決手段】左右一対のカップ部、前記カップ部を背中側で連結するベルト部および左右のカップ部を前側で脱着可能に連結するホック部を備える前開きタイプのブラジャーであって、少なくとも、前記カップ部の一方の皮膚接触面側に冷却剤を装着するためのポケット部を設けたことを特徴とする乳がん患者用ブラジャー。【選択図】図２
2007332520.tif 000002
【特許請求の範囲】
【請求項１】
左右一対のカップ部、前記カップ部を背中側で連結するベルト部および左右のカップ部を前側で脱着可能に連結するホック部を備える前開きタイプのブラジャーであって、少なくとも、前記カップ部の一方の皮膚接触面側に冷却剤を装着するためのポケット部を設けたことを特徴とする乳がん患者用ブラジャー。
【請求項２】
ポケット部が、カップ部のべルト側からベルト部の一部にまで設けられている請求項第１項記載の乳がん患者用ブラジャー。
【請求項３】
更に、左右のカップ部のそれぞれからベルト部に連結された帯状の肩ひもを備える請求項１または２記載の乳がん患者用ブラジャー。
【請求項４】
左右一対のカップ部、前記カップ部に連結されたベルト部および前記左右のカップ部のそれぞれからベルト部に連結された帯状の肩ひもが、一体に作製されたものである請求項３記載の乳がん患者用ブラジャー。
【発明の詳細な説明】
【技術分野】
【０００１】
本発明は乳がん患者用ブラジャーに関し、更に詳細には、乳がんの乳房温存手術のためまたは再発予防のために行われる放射線治療中および治療後の乳房や腋窩のはれ等を軽減するために使用する乳がん患者用ブラジャーに関する。
【背景技術】
【０００２】
乳がんは乳房にある乳腺に発生する悪性腫瘍である。この乳がんは日本人女性で最も頻度の高い（女性２３人に１人がかかるともいわれている）がんであり、毎年約４万人程度がかかる。
【０００３】
これまで乳がんの基本的な治療は、乳房を全摘出する外科的手術が一般的であったが、近年では乳がんの治療技術も進歩したため、乳房の全摘出は極力せずに、腫瘍摘出術と放射線治療、化学療法、ホルモン療法等と組み合わせた治療により、乳房を温存する方向で治療を行うことが増えてきている。
【０００４】
しかしながら、放射線治療を行うと、治療後に乳房、腋窩のはれ、炎症、皮膚炎、腕のむくみ、腕が上がらない等の副作用を生じ、苦痛を伴うとともに日常生活に支障を来すこともあった。
【０００５】
上記のような乳房、腋窩のはれ等を軽減するためには治療後に冷却剤等により冷却を行うことが必要であるが、冷却剤を乳房や腋窩に保持している状態では外観が気になったり、冷却剤の保持に体力を消耗したりするので、冷却をしている特には移動すら困難な状態となっていた。
【発明の開示】
【発明が解決しようとする課題】
【０００６】
従って、本発明は放射線治療中および治療後に乳房や腋窩のはれ等を軽減するため、簡便に乳房や腋窩を冷却する手段を提供することを課題とした。
【課題を解決するための手段】
【０００７】
本発明者は上記課題を解決するために鋭意研究した結果、前開きタイプのブラジャーの特定の部分に冷却剤用のポケットを設けることにより、簡便に乳房や腋窩を冷却できる上、ブラジャーの着脱も容易であることを見出し、本発明を完成させた。
【０００８】
すなわち、本発明は、左右一対のカップ部、前記カップ部を背中側で連結するベルト部および左右のカップ部を前側で脱着可能に連結するホック部を備える前開きタイプのブラジャーであって、少なくとも、前記カップ部の一方の皮膚接触面側に冷却剤を装着するためのポケット部を設けたことを特徴とする乳がん患者用ブラジャーである。
【発明の効果】
【０００９】
本発明の乳がん患者用ブラジャーは、ブラジャー内部に冷却剤を装着できるため、装着後の外観も変化なく、かつ、冷却剤を保持するために体力を消費しない。また、このブラジャーは前開きタイプであるため放射線治療中および治療後の腕の上がらない乳がん患者であっても容易に着脱することができる。
【００１０】
従って、本発明の乳がん患者用ブラジャーは、放射線治療中および治療後の乳がん患者の苦痛を緩和することができる。
【発明を実施するための最良の形態】
【００１１】
以下、本発明の乳がん患者用ブラジャー（以下、「本発明ブラジャー」という）をいくつかの態様を示す図面と共に、更に詳しく説明する。  
【００１２】
図１は本発明ブラジャーの正面図、図２は本発明ブラジャーの裏面図、図３は本発明ブラジャーを乳がん患者が装着した状態を示す図面である。図中、１は本発明ブラジャー、２はカップ部、３はベルト部、４はホック部、５はポケット部、６はポケット部の開口部、７は冷却剤を示す。
【００１３】
本発明ブラジャー１は、放射線治療中および治療後の乳がん患者が乳房や腋窩を冷却するための冷却剤を装着するポケット部５を、従来より周知の前開きタイプのブラジャーのカップ部２の少なくとも一方の皮膚接触面側に設けたことを特徴とするものである。具体的に前記ポケット部５は、前開きタイプのブラジャー１のカップ部２の一方または両方のベルト部３側に設けることが好ましく、その位置は、本発明ブラジャーを装着した乳がん患者の乳房から腋窩に該当する部分であることがより好ましい。特に、ポケット部５を、カップ部２のベルト部３側から、ベルト部３の一部にかけて設けることが好ましい。また、ポケット部５の形状は冷却剤６を装着可能な大きさであれば特に制限されないが、例えば、ブラジャーの縁面に沿うような形状で作製されることが好ましい。更に、ポケット部５の開口部６は冷却剤７を装着した後に、落下しないような位置にあれば特に制限されないが、カップ部２の上方側にあることが好ましい。更に、ポケット部５を構成する素材は皮膚刺激の少ないものがよく、例えば、ガーゼ、綿布または綿で作製されたメッシュクロス等が挙げられる。このポケット部は前記素材を所望の大きさに切り取り、それをミシン等を用いて糸等でカップ部２に縫着させればよい。前記ポケット部をカップ部に縫着させるための縫い方は縫い目が皮膚に直接触れないような縫い方であれば特に限定されないが、例えば袋縫い等が好ましい。また、前記ポケット部をカップ部に縫着するために用いられる糸としては、例えば、綿または綿が主でポリウレタン、ポリエステル等の合成繊維等を含む肌に優しい、敏感肌の人にも対応できる素材でできたものであることが好ましい。
【００１４】
本発明ブラジャーのポケット部５に装着される冷却剤７としては、ポケットに装着可能な所望の大きさであって、周知の凍結ジェル、不凍ジェル等の冷媒を樹脂フィルム等に封入したもの等を特に制限無く使用することができる。これら冷却剤の中でも、皮膚への刺激を抑えるために柔らかい不凍ジェルを封入したジェルパックが好ましい。本発明ブラジャーに装着することのできるジェルパックの市販品としては、デコデコクールバンドタイプ（久光製薬製）、熱さまやわらかアイス枕シリーズ（小林製薬）、ヒヤホカロン（ロッテ健康産業）等が挙げられる。
【００１５】
また、本発明ブラジャーを構成するカップ部２、ベルト部３、ホック部４の素材、構造等については周知の前開きタイプのブラジャーに用いられるものを特に制限無く用いることができる。例えば、カップ部であれば綿または綿が主でポリウレタン、ポリエステル等の合成繊維等を含む肌に優しい、敏感肌の人にも対応できる素材で円錐型、お碗型の構造としたものを例示できる。ただし、カップ部にワイヤーを用いた構造ものは皮膚刺激が強いこともあるので、ワイヤーを用いない構造が好ましい。また、ベルト部であれば綿または綿が主でポリウレタン、ポリエステル等の合成繊維等を含む肌に優しい、敏感肌の人にも対応できる素材でブラジャー装着時にカップ部がずれないよう固定できるひも状またはバンド状の構造を例示することができる。更に、ホック部であればポリアセタール等のプラスチック等の素材で作製されたホック等を例示することができる。
【００１６】
更に、本発明ブラジャーは、左右のカップ部２のそれぞれからベルト部３に連結された帯状の肩ひも（図示せず）、いわゆるストラップを備えたものであってもよい。このストラップにより冷却剤の重みを肩に分散させることができる。ただし、放射線治療中または治療後の乳がん患者は腕が上がらないことがあり、帯状の肩ひもを有するブラジャーの着脱が困難な場合があるので、帯状の肩ひもは伸縮性に富んだ素材、例えばゴムまたはゴムを編み込んだ素材等で、１〜５ｃｍ、好ましくは１.５〜４ｃｍ程度の幅で作製されたものが好ましい。また、この帯状の肩ひもには長さを調整するためのアジャスターを備えていてもよい。
【００１７】
このような本発明ブラジャーは、放射線治療中または治療後の乳がん患者の乳房や腋窩を冷却することができ、しかも、乳がん患者の腕が上がらない状態であっても容易に着脱することができ、更に、ブラジャーの皮膚接触面に冷却剤を装着することができるので外観上も変化がない優れたものである。
【００１８】
また、本発明ブラジャーの別の態様としては、左右一対のカップ部２、前記カップ部２に連結されたベルト部３および前記カップ部２と前記ベルト部３とに連結された帯状の肩ひも（図示せず）が、一体に作製され、かつ、ホック部４を左右のカップ部の間に備える、いわゆるスポーツタイプのブラジャーが挙げられる。このタイプのブラジャーは伸縮性に富んだ素材、例えば、綿または綿が主でポリウレタン、ポリエステル等の合成繊維等を含む肌に優しい、敏感肌の人にも対応できる素材等で作製されたものが好ましい。このスポーツタイプのブラジャーにおいても皮膚接触面側に上記と同様のポケット部を設ければよい。
【００１９】
図４は上記スポーツタイプのブラジャーを乳がん患者が装着した状態を示す図面である。このスポーツタイプのブラジャーは、ブラジャー全体が伸縮性に富んだ素材で作製されているので、放射線治療中または治療後の乳がん患者でも容易に着脱することができる。
【図面の簡単な説明】
【００２０】
【図１】本発明の一態様であるブラジャーの正面図である。
【図２】本発明の一態様であるブラジャーの裏面図である。
【図３】本発明の一態様であるブラジャーの装着図である（図中、点線部はブラジャーの皮膚接触面に装着された冷却剤を示す）。
【図４】本発明の別の態様であるブラジャーの装着図である（図中、点線部はブラジャーの皮膚接触面に装着された冷却剤を示す）。
【符号の説明】
【００２１】
１  …  …  ブラジャー５
２  …  …  カップ部
３  …  …  ベルト部
４  …  …  ホック部
５  …  …  ポケット部
６  …  …  開口部
７  …  …  冷却剤
１０  …  …  スポーツタイプブラジャー
以  上
【図１】
2007332520.tif 000003
【図２】
2007332520.tif 000004
【図３】
2007332520.tif 000005
【図４】
2007332520.tif 000006